(57)【要約】      （修正有）【課題】情報端末との連携により機能を実行する画像形成装置において、ユーザーの操作を簡略化して利便性を向上可能な画像形成装置及びプログラムを提供する。【解決手段】情報端末からの要求に基づく処理を実行する機能を有する画像形成装置１であって、情報端末と近距離無線通信接続を確立し、各種データの通信を行う第１近接無線通信Ｉ／Ｆ１９３と、情報端末と近距離無線通信接続を確立し、各種データの通信を行う第２近接無線通信Ｉ／Ｆ１９４と、第１近接無線通信Ｉ／Ｆにより情報端末との接続を確立した場合に、第１の機能の実行を制御し、第２近接無線通信Ｉ／Ｆにより情報端末との接続を確立した場合に、第１の機能とは異なる第２の機能の実行を制御する制御部１１と、を備える。【選択図】図３
2020039040.tif 000002
【特許請求の範囲】
【請求項１】
情報端末からの要求に基づく処理を実行する機能を有する画像形成装置であって、
情報端末と近距離無線通信接続を確立し、各種データの通信を行う第１の近接無線通信部と、
情報端末と近距離無線通信接続を確立し、各種データの通信を行う第２の近接無線通信部と、
前記第１の近接無線通信部により前記情報端末との接続を確立した場合に、第１の機能の実行を制御し、前記第２の近接無線通信部により前記情報端末との接続を確立した場合に、前記第１の機能とは異なる第２の機能の実行を制御する制御部と、を備える
ことを特徴とする画像形成装置。
【請求項２】
原稿を読み取って画像データを生成する原稿読取部を備え、
前記第１の近接無線通信部は、前記原稿読取部の近傍に設置される
ことを特徴とする請求項１に記載の画像形成装置。
【請求項３】
前記第１の機能は、前記情報端末内の文書を受信して印刷する機能である
ことを特徴とする請求項２に記載の画像形成装置。
【請求項４】
前記第１の機能は、
前記第１の近接無線通信部により前記情報端末との接続を確立した状態で、前記原稿読取部に原稿が配置されていない場合には、前記情報端末内の文書を受信して印刷する機能であり、
前記第１の近接無線通信部により前記情報端末との接続を確立した状態で、前記原稿読取部に原稿が配置されている場合には、前記原稿読取部によって読み取った画像データを前記情報端末に送信する機能である
ことを特徴とする請求項２に記載の画像形成装置。
【請求項５】
印刷した用紙を排出する排紙部を備え、
前記第２の近接無線通信部は、前記排紙部の近傍に設置される
ことを特徴とする請求項１から４のいずれか一項に記載の画像形成装置。
【請求項６】
前記第２の機能は、当該画像形成装置が記憶している画像データを、前記情報端末に送信する機能である
ことを特徴とする請求項５に記載の画像形成装置。
【請求項７】
原稿を読み取って画像データを生成する原稿読取部を備え、
前記第２の機能は、
前記第２の近接無線通信部により前記情報端末との接続を確立した状態で、前記原稿読取部に原稿が配置されていない場合には、当該画像形成装置が記憶している画像データを、前記情報端末に送信する機能であり、
前記第２の近接無線通信部により前記情報端末との接続を確立した状態で、前記原稿読取部に原稿が配置されている場合には、前記原稿読取部によって読み取った画像データを前記情報端末に送信する機能である
ことを特徴とする請求項５に記載の画像形成装置。
【請求項８】
前記制御部は、前記第１の近接無線通信部が第１の情報端末との接続を確立するとともに、前記第２の近接無線通信部が第２の情報端末との接続を確立した場合に、第３の機能の実行を制御し、
前記第３の機能は、
前記第１の情報端末と前記第２の情報端末が異なる情報端末である場合に、前記第１の情報端末が記憶する文書を受信して前記第２の情報端末に送信する機能であり、
前記第１の情報端末と前記第２の情報端末が同一の情報端末である場合において、前記第１の近接無線通信部が後に接続を確立した場合には前記第１の機能であり、前記第２の近接無線通信部が後に接続を確立した場合には前記第２の機能である
ことを特徴とする請求項１から７のいずれか一項に記載の画像形成装置。
【請求項９】
情報端末からの要求に基づく処理を実行する機能を有し、情報端末と近距離無線通信接続を確立し、各種データの通信を行う第１の近接無線通信部と、情報端末と近距離無線通信接続を確立し、各種データの通信を行う第２の近接無線通信部と、を備えた画像形成装置のコンピューターを、
前記第１の近接無線通信部により前記情報端末との接続を確立した場合に、第１の機能の実行を制御し、前記第２の近接無線通信部により前記情報端末との接続を確立した場合に、前記第１の機能とは異なる第２の機能の実行を制御する制御部
として機能させるためのプログラム。
【発明の詳細な説明】
【技術分野】
【０００１】
本発明は、画像形成装置及びプログラムに関する。
【背景技術】
【０００２】
従来、コピー、スキャン、ファックス、ドキュメント管理など様々な機能が備わった、複合機あるいはＭＦＰ（Multi-Function Peripherals）と呼ばれる画像形成装置が知られている。
【０００３】
このような画像形成装置を、タブレット型コンピューターやスマートフォンなどの情報端末とＷｉ−Ｆｉ通信等の無線通信可能に接続し、情報端末内に保存された文書を画像形成装置が受信して印刷したり、画像形成装置でスキャンした文書データを情報端末に送信したりする技術が普及している。
さらに、近年では、ＮＦＣ（Near Field Communication）通信を実行可能な画像形成装置が実用化されており、ユーザーが情報端末を画像形成装置にタッチすることで、情報端末と画像形成装置との間で文書データのやり取り等をすることが可能となっている（例えば、特許文献１参照）。
【先行技術文献】
【特許文献】
【０００４】
【特許文献１】特開２０１７−１７３８７１号公報
【発明の概要】
【発明が解決しようとする課題】
【０００５】
ユーザーは、情報端末との連携時においても、画像形成装置のパネル操作によってジョブの実行指示を出す。この時、まず実行する機能を選択する必要があるが、画像形成装置と情報端末との連携により実行可能な機能には、情報端末内の文書を印刷する、画像形成装置でスキャンした原稿のデータを情報端末に送信する、画像形成装置に保存された文書データを情報端末に送信するなど、多くの種類が存在するため、ユーザーが所望の機能を探し出して選択するのは少々煩雑であるという問題があった。
このような問題に関して、特許文献１には、情報端末に文書を表示させた状態で、画像形成装置に情報端末をタッチさせてＮＦＣ通信接続を確立すると、情報端末に表示されている文書を印刷する技術が開示されている。しかしながら、ユーザーが期待する動作と必ずしも一致せず、場合によってはやり直しや用紙の無駄遣いが生じる等の課題が残る。
【０００６】
本発明は上記課題に鑑みてなされたものであって、情報端末との連携により機能を実行する画像形成装置において、ユーザーの操作を簡略化して利便性を向上可能な画像形成装置及びプログラムを提供することを目的とする。
【課題を解決するための手段】
【０００７】
上記課題を解決するため、請求項１に記載の画像形成装置は、
情報端末からの要求に基づく処理を実行する機能を有する画像形成装置であって、
情報端末と近距離無線通信接続を確立し、各種データの通信を行う第１の近接無線通信部と、
情報端末と近距離無線通信接続を確立し、各種データの通信を行う第２の近接無線通信部と、
前記第１の近接無線通信部により前記情報端末との接続を確立した場合に、第１の機能の実行を制御し、前記第２の近接無線通信部により前記情報端末との接続を確立した場合に、前記第１の機能とは異なる第２の機能の実行を制御する制御部と、を備える
ことを特徴とする。
【０００８】
請求項２に記載の発明は、請求項１に記載の画像形成装置において、
原稿を読み取って画像データを生成する原稿読取部を備え、
前記第１の近接無線通信部は、前記原稿読取部の近傍に設置される
ことを特徴とする。
【０００９】
請求項３に記載の発明は、請求項２に記載の画像形成装置において、
前記第１の機能は、前記情報端末内の文書を受信して印刷する機能である
ことを特徴とする。
【００１０】
請求項４に記載の発明は、請求項２に記載の画像形成装置において、
前記第１の機能は、
前記第１の近接無線通信部により前記情報端末との接続を確立した状態で、前記原稿読取部に原稿が配置されていない場合には、前記情報端末内の文書を受信して印刷する機能であり、
前記第１の近接無線通信部により前記情報端末との接続を確立した状態で、前記原稿読取部に原稿が配置されている場合には、前記原稿読取部によって読み取った画像データを前記情報端末に送信する機能である
ことを特徴とする。
【００１１】
請求項５に記載の発明は、請求項１から４のいずれか一項に記載の画像形成装置において、
印刷した用紙を排出する排紙部を備え、
前記第２の近接無線通信部は、前記排紙部の近傍に設置される
ことを特徴とする。
【００１２】
請求項６に記載の発明は、請求項５に記載の画像形成装置において、
前記第２の機能は、当該画像形成装置が記憶している画像データを、前記情報端末に送信する機能である
ことを特徴とする。
【００１３】
請求項７に記載の発明は、請求項５に記載の画像形成装置において、
原稿を読み取って画像データを生成する原稿読取部を備え、
前記第２の機能は、
前記第２の近接無線通信部により前記情報端末との接続を確立した状態で、前記原稿読取部に原稿が配置されていない場合には、当該画像形成装置が記憶している画像データを、前記情報端末に送信する機能であり、
前記第２の近接無線通信部により前記情報端末との接続を確立した状態で、前記原稿読取部に原稿が配置されている場合には、前記原稿読取部によって読み取った画像データを前記情報端末に送信する機能である
ことを特徴とする。
【００１４】
請求項８に記載の発明は、請求項１から７のいずれか一項に記載の画像形成装置において、
前記制御部は、前記第１の近接無線通信部が第１の情報端末との接続を確立するとともに、前記第２の近接無線通信部が第２の情報端末との接続を確立した場合に、第３の機能の実行を制御し、
前記第３の機能は、
前記第１の情報端末と前記第２の情報端末が異なる情報端末である場合に、前記第１の情報端末が記憶する文書を受信して前記第２の情報端末に送信する機能であり、
前記第１の情報端末と前記第２の情報端末が同一の情報端末である場合において、前記第１の近接無線通信部が後に接続を確立した場合には前記第１の機能であり、前記第２の近接無線通信部が後に接続を確立した場合には前記第２の機能である
ことを特徴とする。
【００１５】
請求項９に記載のプログラムは、
情報端末からの要求に基づく処理を実行する機能を有し、情報端末と近距離無線通信接続を確立し、各種データの通信を行う第１の近接無線通信部と、情報端末と近距離無線通信接続を確立し、各種データの通信を行う第２の近接無線通信部と、を備えた画像形成装置のコンピューターを、
前記第１の近接無線通信部により前記情報端末との接続を確立した場合に、第１の機能の実行を制御し、前記第２の近接無線通信部により前記情報端末との接続を確立した場合に、前記第１の機能とは異なる第２の機能の実行を制御する制御部
として機能させることを特徴とする。
【発明の効果】
【００１６】
本発明によれば、情報端末との連携により機能を実行する画像形成装置において、ユーザーの操作を簡略化して利便性を向上可能な画像形成装置及びプログラムを提供することができる。
【図面の簡単な説明】
【００１７】
【図１】画像形成システムの概略構成を示す図である。
【図２】画像形成装置の概略構成を示す図である。
【図３】画像形成装置の機能的構成を示すブロック図である。
【図４】近接無線通信Ｉ／Ｆと画像形成装置１の機能との割り付けを示すテーブルである。
【図５】画像形成装置の動作を示すフローチャートである。
【図６】情報端末検出時の処理における画像形成装置の動作を示すフローチャートである。
【図７】画像形成装置が情報端末から取得する情報の一例を示す図である。
【図８】原稿セット状態に応じた処理における画像形成装置の動作を示すフローチャートである。
【図９】情報端末連携機能の選択における画像形成装置の動作を示すフローチャートである。
【図１０】印刷設定画面の一例を示す図である。
【図１１】ＳｃａｎＴｏ情報端末画面の一例を示す図である。
【図１２】ＢｏｘＴｏ情報端末画面の一例を示す図である。
【図１３】操作に応じた処理における画像形成装置の動作を示すフローチャートである。
【図１４】本発明の効果を示す図である。
【発明を実施するための形態】
【００１８】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１９】
［画像形成システムの構成］
図１は、本実施形態の画像形成システム１００の概略構成を示す図である。
図１に示すように、画像形成システム１００は、画像形成装置１及び情報端末２を備える。画像形成装置１は、プリンター機能、スキャナー機能、コピー機能、ファクシミリ機能等の複数の機能を有する複合機である。情報端末２は、スマートフォンやタブレットなどの可搬型のユーザー端末である。
【００２０】
画像形成装置１と情報端末２は、ＮＦＣ（Near Field Communication）等の近距離無線通信規格に基づき、無線通信を行うことが可能である。具体的には、後述するように、ユーザーが情報端末２を画像形成装置１が有する近接無線通信Ｉ／Ｆにかざす（タッチする）ことで、情報端末２と画像形成装置１との接続が確立され、情報端末２が当該情報端末２の識別情報を画像形成装置１にＮＦＣ通信により送信することが可能となる。
また、画像形成装置１と情報端末２は、Ｗｉ−Ｆｉ（登録商標）等の近距離無線通信規格に基づき無線通信を行うことも可能である。具体的には、後述するように、画像形成装置１が情報端末２から当該情報端末２の識別情報を取得すると、情報端末２との間でＷｉ−Ｆｉ通信を確立させ、文書の送受信が可能となる。
【００２１】
［画像形成装置の構成］
図２は、本実施形態の画像形成装置１の概略構成を示す図である。図３は、画像形成装置１の機能構成を示すブロック図である。
【００２２】
画像形成装置１は、用紙に画像を形成する複合機等の画像形成装置である。図２に示すように、画像形成装置１は、原稿読取部１５、搬送部１６、給紙部１８、画像形成部２０及び定着部３０等を備える。
【００２３】
原稿読取部１５は、コピー用に設けられたスキャナー等であり、制御部１１の指示に従って、原稿台上にセットされた原稿ｄを読み取って、画素ごとにＲ（赤）、Ｇ（緑）及びＢ（青）の色値を有するビットマップ形式の原画像を生成する。原稿読取部１５により生成されたＲ、Ｇ及びＢの色値を有する原画像は、図示しない色変換部によりＣ、Ｍ、Ｙ及びＫの色値を有する原画像に色変換された後、記憶部１２（図３参照）に記憶される。
【００２４】
搬送部１６は、複数の搬送ローラー１６１Ａ、１６１Ｂ、１６１Ｃ、１６１Ｄ、レジストローラー１６２及び排紙ローラー１６３等で構成されている。搬送部１６は、制御部１１の指示に従って、給紙部１８や手差しトレイから給紙された用紙を、画像形成部２０、定着部３０へ搬送し、画像形成及び定着された用紙を排紙口２４から排紙トレイ２５に排出する。排紙トレイ２５は、排出された用紙を載置する。搬送部１６は、定着部３０から搬送された用紙を反転して再度画像形成部２０に搬送する反転部１６ａを有する。
【００２５】
給紙部１８は、複数の給紙トレイを備え、制御部１１の指示に従って、給紙手段１８１により画像形成部２０に用紙を供給する。各給紙トレイには、それぞれ予め定められた紙種やサイズの用紙が収納されている。
【００２６】
画像形成部２０は、制御部１１の指示に従って、画像処理部１７（図３参照）により画像処理された原画像に基づいて、Ｃ、Ｍ、Ｙ及びＫの複数の色からなる画像を用紙上に形成する。画像形成部２０は、４つの書込みユニット２１Ｙ、２１Ｍ、２１Ｃ、２１Ｋ、中間転写ベルト２２、２次転写ローラー２３を備えている。
【００２７】
４つの書込みユニット２１Ｙ、２１Ｍ、２１Ｃ、２１Ｋは、中間転写ベルト２２のベルト面に沿って直列（タンデム）に配置され、それぞれＣ、Ｍ、Ｙ及びＫの色の画像を形成する。書込みユニット２１Ｙは、感光体２１１Ｙ、帯電部２１２Ｙ、光走査装置２１３Ｙ、現像部２１４Ｙ、１次転写ローラー２１５Ｙ及びクリーニング部２１６Ｙを備えている。画像形成時、書込みユニット２１Ｙでは、帯電部２１２Ｙにより感光体２１１Ｙに電圧を印加して帯電させた後、光走査装置２１３Ｙにより原画像に基づいて発光させた光束で感光体２１１Ｙ上を走査して静電潜像を形成する。現像部２１４Ｙによりトナー等の色材を供給して、感光体２１１Ｙ上の静電潜像を現像すると、像担持体である感光体２１１Ｙ上にトナー像が形成される。
なお、各書込みユニット２１Ｍ、２１Ｃ、２１Ｋは、書込みユニット２１Ｙと同様に構成されているため、その説明を省略する。
【００２８】
各書込みユニット２１Ｙ〜２１Ｋにおいて、感光体２１１Ｙ〜２１１Ｋ上にトナー像が形成されると、１次転写ローラー２１５Ｙ〜２１５Ｋにより、感光体２１１Ｙ〜２１１Ｋ上のトナー像が中間転写ベルト２２上に順次重ねて転写（１次転写）される。これにより、中間転写ベルト２２上には複数の色からなるトナー像が形成される。１次転写後、クリーニング部２１６Ｙ〜２１６Ｋにより感光体２１１Ｙ〜２１１Ｋ上に残留する色材が除去される。
【００２９】
中間転写ベルト２２は、複数のローラーにより巻き回されて回転する像担持体である。複数のローラーの中には、１次転写ローラー２１５Ｙ〜２１５Ｋが含まれる。
【００３０】
２次転写ローラー２３は、給紙部１８から搬送される用紙の搬送経路上に配置されている。２次転写ローラー２３は、給紙部１８から給紙された用紙上に、中間転写ベルト２２上のトナー像を転写（２次転写）し、定着部３０に搬送する。
【００３１】
定着部３０は、制御部１１の指示に従って、画像形成部２０により色材の像としてのトナー像が形成された用紙に、画像を熱定着させる。すなわち、定着部３０は、画像形成部２０によりトナー像が形成された用紙を加熱及び加圧する。用紙の両面に画像を形成する場合、定着部３０により一方の面に画像が定着された用紙は、反転部１６ａにより用紙面を反転された後、再度２次転写ローラー２３の位置へ給紙される。
【００３２】
図３に示すように、画像形成装置１は、制御部１１、記憶部１２、操作表示部１３、原稿読取部１５、搬送部１６、画像処理部１７、給紙部１８、通信部１９、画像形成部２０及び定着部３０、等を備える。画像形成装置１の各部は、バス４０を介して接続されている。
【００３３】
制御部１１は、ＣＰＵ（Central Processing Unit）、ＲＡＭ（Random Access Memory）、ＲＯＭ（Read Only Memory）等を備え、画像形成装置１の各部を制御する。ＲＯＭは、各種プログラム及び各種データが記憶されている記憶部である。制御部１１は、ＣＰＵがＲＯＭから各種プログラムを読み出して適宜ＲＡＭに展開し、展開したプログラムとＣＰＵの協働で、各種処理を実行する。例えば、制御部１１は、原稿読取部１５により生成され又は通信部１９を介して受信され、記憶部１２に保持されたビットマップ形式の原画像を、画像処理部１７により画像処理させて、画像処理後の原画像データに基づき、画像形成部２０により用紙上に画像を形成させる。
【００３４】
記憶部１２は、ＤＲＡＭ（Dynamic Random Access Memory）等により構成され、各種画像処理に係る画像データ等の各種データを一時的に記憶する画像メモリーである。また、記憶部１２は、ＨＤＤ（Hard Disk Drive）等を有し、各種データを書き込み及び読み出し可能に記憶する構成としても良い。
【００３５】
操作表示部１３は、操作部１３１と、表示部１３２とを備えて構成され、ユーザーインターフェイスとして画像形成装置１に設けられる。操作部１３１は、ユーザーの操作に応じた操作信号を生成し、制御部１１に出力する。操作部１３１としては、キーパッド、表示部１３２と一体に構成されたタッチパネル等を用いることができる。表示部１３２は、制御部１１の指示に従って、操作画面等を表示する。表示部１３２としては、ＬＣＤ（Liquid Crystal Display）、ＯＥＬＤ（Organic Electro Luminescence Display）等を用いることができる。
【００３６】
ユーザー認証部１４は、ユーザーによって入力されたＩＤやパスワード等の認証用データを、予め登録された参照用データと照合することにより、ユーザーを識別するための認証処理を行う。なお、参照用データは記憶部１２に格納されていてもよいし、外部装置に格納されていてもよい。また、外部装置においてユーザー認証を行い、その結果に基づいてユーザー認証部１４がユーザーを識別するものとしてもよい。
【００３７】
画像処理部１７は、記憶部１２に記憶された画像データ、原稿読取部１５により原稿から画像を読み取って得られた画像データ、通信部１９を介して外部装置から入力された画像データに必要な画像処理を行い、画像処理後の画像データを画像形成部２０に出力する。画像処理には、階調処理、中間調処理、色変換処理等が含まれる。階調処理は、画像データの各画素の階調値を、用紙上に形成された画像の濃度特性が目標の濃度特性と一致するように補正された階調値に変換する処理である。中間調処理は、誤差拡散処理、組織的ディザ法を用いたスクリーン処理等である。色変換処理は、ＲＧＢの各階調値をＣＭＹＫの各階調値に変換する処理である。
【００３８】
通信部１９は、ネットワークＩ／Ｆ１９１、無線通信Ｉ／Ｆ１９２、第１近接無線通信Ｉ／Ｆ１９３及び第２近接無線通信Ｉ／Ｆ１９４を備えて構成される。
【００３９】
ネットワークＩ／Ｆ１９１は、ネットワークカード等で構成された、画像形成装置１をＬＡＮ（Local Area Network）等のネットワークに接続するためのインターフェースであり、ネットワーク上に配置された他の画像形成装置や、ＰＣ（Personal Computer）等のユーザー端末、サーバー等との通信を可能とする。
【００４０】
無線通信Ｉ／Ｆ１９２は、Ｗｉ−Ｆｉ、Ｂｌｕｅｔｏｏｔｈ（登録商標）等の近距離無線通信規格に基づき情報端末２と無線通信を行うためのインターフェースである。本実施形態においては、無線通信Ｉ／Ｆ１９２はＷｉ−Ｆｉ通信に対応するものとし、後述するように、画像形成装置１と外部装置３との間の文書の送受信は、無線通信Ｉ／Ｆ１９２を介したＷｉ−Ｆｉ通信により行われる。
【００４１】
第１近接無線通信Ｉ／Ｆ１９３及び第２近接無線通信Ｉ／Ｆ１９４は、第１近接無線通信Ｉ／Ｆ１９３及び第２近接無線通信Ｉ／Ｆ１９４は、無線通信Ｉ／Ｆ１９２を介して行われる無線通信の通信可能距離（例えば１００ｍ以下）よりも短い通信可能距離（例えば１０ｃｍ以下）で近距離無線通信を行うためのプロトコルが用いられている。本実施形態においては、第１近接無線通信Ｉ／Ｆ１９３及び第２近接無線通信Ｉ／Ｆ１９４はＮＦＣ通信に対応するものとし、後述するように、第１近接無線通信Ｉ／Ｆ１９３及び第２近接無線通信Ｉ／Ｆ１９４を介したＮＦＣ通信により、情報端末２から画像形成装置１に対して当該情報端末２の識別情報が送信される。
なお、図２に示すように、第１近接無線通信Ｉ／Ｆ１９３は原稿読取部１５の近傍に設けられ、第２近接無線通信Ｉ／Ｆ１９４は排紙トレイ２５の近傍に設けられている。また、第１近接無線通信Ｉ／Ｆ１９３は第１の近接無線通信部として機能し、第２近接無線通信Ｉ／Ｆ１９４は第２の近接無線通信部として機能する。
【００４２】
［画像形成装置の動作］
以下、図面を参照して本実施形態に係る画像形成装置１の動作について説明する。
本実施形態に係る画像形成装置１は、第１近接無線通信Ｉ／Ｆ１９３及び第２近接無線通信Ｉ／Ｆの二つにより、情報端末２とＮＦＣ通信を行うことが可能である。さらに、制御部１１は、情報端末２がいずれと接続されたかによって、画像形成装置１が有する機能のうち実行するものがデフォルトで設定された画面を表示部１３２に表示させる。
【００４３】
図４は、接続された近接無線通信Ｉ／Ｆと、画像形成装置１の機能との割り付けを示すテーブルである。
第１近接無線通信Ｉ／Ｆ１９３は原稿読取部１５の近傍に設けられているため、ユーザーが情報端末２を第１近接無線通信Ｉ／Ｆ１９３に接続させた場合、ユーザーが情報端末２内の文書の印刷を意図している可能性が高い。したがって、この場合には、第１の機能として「情報端末文書内の印刷」機能を割り付けるものとする。具体的には、表示部１３２に印刷設定画面を表示させることで、ユーザーがスタートキーの押下によって印刷機能を実行可能とする。
【００４４】
一方で、第２近接無線通信Ｉ／Ｆ１９４は排紙トレイ２５の近傍に設けられているため、ユーザーがスキャンした原稿のデータを情報端末２に送信することを意図している可能性が高い。したがって、この場合には、第２の機能として「ＢｏｘＴｏ情報端末」機能を割り付けるものとする。具体的には、表示部１３２にＢｏｘＴｏ情報端末画面を表示させることで、ユーザーがスタートキーの押下によって、ユーザーが選択した情報端末２のフォルダに、スキャンした原稿のデータを保存可能とする。
【００４５】
さらに、原稿読取部１５に原稿がセットされているか否かに応じて、機能を割り振る。即ち、近接無線通信Ｉ／Ｆによって情報端末２との接続が確立している場合において、原稿読取部１５に原稿がセットされているときには、スキャンした原稿のデータを情報端末２に送信することを意図している可能性が高い。したがって、ユーザーが情報端末２を第１近接無線通信Ｉ／Ｆ１９３及び第２近接無線通信Ｉ／Ｆ１９４のいずれに接続させた場合にも、第１の機能又は第２の機能として「ＳｃａｎＴｏ情報端末」機能を割り付けるものとする。
なお、第１近接無線通信Ｉ／Ｆ１９３に接続されている場合には、印刷設定画面からＳｃａｎＴｏ情報端末画面に切り換える。第２近接無線通信Ｉ／Ｆ１９４に接続されている場合には、ＳｃａｎＴｏ情報端末画面を表示させる。
【００４６】
このように、情報端末２が接続された近接無線通信Ｉ／Ｆの位置から連想される機能の設定画面を表示部１３２に表示させることで、ユーザーの直感的な操作が可能となり、意図する機能をユーザー自身が設定する手間を省くことができる。
【００４７】
なお、第１近接無線通信Ｉ／Ｆ１９３及び第２近接無線通信Ｉ／Ｆ１９４の両方で情報端末２を検出した場合は以下の処理を行う。
即ち、第１近接無線通信Ｉ／Ｆ１９３に接続された情報端末２と、第２近接無線通信Ｉ／Ｆ１９４に接続された情報端末２とが異なる情報端末である場合、第３の機能として、画像形成装置１が異なる情報端末２の間の文書の転送を仲介する。例えば、第１近接無線通信Ｉ／Ｆ１９３にあるユーザーが情報端末２をタッチした後、他のユーザーが第２近接無線通信Ｉ／Ｆ１９４に情報端末２をタッチした場合には、先に第１近接無線通信Ｉ／Ｆ１９３にタッチされた情報端末２の文書を、画像形成装置１を受信して、後に第２近接無線通信Ｉ／Ｆ１９４にタッチされた情報端末２に送信する。
【００４８】
一方で、第１近接無線通信Ｉ／Ｆ１９３及び第２近接無線通信Ｉ／Ｆ１９４に、同一の情報端末２が検出された場合、第３の機能として後に接続された近接無線通信Ｉ／Ｆに割り付けられた機能（第１の機能又は第２の機能）を実行するための画面を、表示部１３２に表示させる。例えば、第１近接無線通信Ｉ／Ｆ１９３に情報端末２がタッチされた後に、第２近接無線通信Ｉ／Ｆ１９４にタッチされた場合、ユーザーがタッチする位置を間違えたものと考えられるため、第２近接無線通信Ｉ／Ｆ１９４に割り付けられた機能（第２の機能）の実行画面を表示する。第２近接無線通信Ｉ／Ｆ１９４に情報端末２がタッチされた後に、第１近接無線通信Ｉ／Ｆ１９３にタッチされた場合には、第１近接無線通信Ｉ／Ｆ１９３に割り付けられた機能（第１の機能）の実行画面を表示する。
【００４９】
図５は、画像形成装置１の動作を示すフローチャートである。
なお、以下に説明する各処理は、制御部１１と記憶部１２に記憶されているプログラムとの協働により実現される。
【００５０】
まず、画像形成装置１の電源が入れられると、制御部１１は、メモリーのクリアなどの初期化処理を実行する（ステップＳ１０１）。
続いて、制御部１１は、第１近接無線通信Ｉ／Ｆ１９３又は第２近接無線通信Ｉ／Ｆ１９４によって情報端末２を検出したか否かを判断する（ステップＳ１０３）。制御部１１は、情報端末２を検出したと判断すると（ステップＳ１０３：ＹＥＳ）、ステップＳ２００の「情報端末検出時の処理」に移行するが、検出していないと判断すると（ステップＳ１０３：ＮＯ）、ステップＳ１０５に移行する。
【００５１】
ステップＳ１０５では、制御部１１は、原稿読取部１５の原稿セット状態に変化があったか否かを判断する。制御部１１は、原稿セット状態に変化があったと判断すると（ステップＳ１０５：ＹＥＳ）、ステップＳ３００の「原稿セット状態に応じた処理」に移行するが、変化がないと判断すると（ステップＳ１０５：ＮＯ）、ステップＳ１０７に移行する。
【００５２】
ステップＳ１０７では、制御部１１は、操作表示部１３の操作が行われたか否かを判断する。操作表示部１３の操作は、表示部１３２に表示された表示画面に基づく操作であり、コピー、スキャンした原稿データの送信等の実行指示に対する処理の他に、第１近接無線通信Ｉ／Ｆ１９３又は第２近接無線通信Ｉ／Ｆ１９４で検出した情報端末２との連携機能の設定と実行指示に対する処理が行われる。制御部１１は、操作が行われたと判断すると（ステップＳ１０７：ＹＥＳ）、ステップＳ５００の「操作に応じた処理」に移行するが、操作が行われていないと判断すると（ステップＳ１０７：ＮＯ）、ステップＳ１０９に移行する。
【００５３】
ステップＳ１０９では、制御部１１は、その他の処理要求の有無を確認する。その他の処理要求とは、ネットワークを介して接続されたＰＣなどの外部装置からの印刷要求、外部装置の記憶部に保存されている文書の取得要求などがある。制御部１１は、その他の処理要求があると判断すると（ステップＳ１０９：ＹＥＳ）、要求に応じた処理を実行するが（ステップＳ１１１）、要求がないと判断すると（ステップＳ１０９：ＮＯ）、ステップＳ１０３へと戻り、画像形成装置１の電源が切られるまで上記した処理を繰り返す。
【００５４】
図６は、ステップＳ２００の「情報端末検出時の処理」における画像形成装置１の動作を示すフローチャートである。
制御部１１は、図５のステップＳ１０３で情報端末２を検出すると、第１近接無線通信Ｉ／Ｆ１９３又は第２近接無線通信Ｉ／Ｆ１９４を介して、当該情報端末２から情報を取得する（ステップＳ２０１）。情報端末２から取得する情報とは、当該情報端末２の識別ＩＤ、無線通信Ｉ／Ｆ１９２を介したＷｉ−Ｆｉ通信のためのＩＰアドレスである。
なお、取得した情報は、図７に示すように、情報端末２を検出した日時とともに制御部１１が有するＲＡＭに一時的に保存される。
【００５５】
続いて、制御部１１は、第１近接無線通信Ｉ／Ｆ１９３で情報端末２を検出したか否かを判断する（ステップＳ２０３）。制御部１１は、第１近接無線通信Ｉ／Ｆ１９３で情報端末２を検出したと判断すると（ステップＳ２０３：ＹＥＳ）、読取部接続フラグをＯＮにするが（ステップＳ２０５）、第１近接無線通信Ｉ／Ｆ１９３で情報端末２を検出していない（ステップＳ２０５：ＮＯ）、即ち第２近接無線通信Ｉ／Ｆ１９４で情報端末２を検出したと判断すると、排出部接続フラグをＯＮにする（ステップＳ２０７）。
なお、図７に示すように、接続フラグの状態は情報端末２の識別ＩＤ等とともにＲＡＭに一時的に保存される。
【００５６】
いずれかのフラグをＯＮにすると、制御部１１は、ステップＳ４００の「情報端末連携機能の選択」に移行する。
【００５７】
図８は、ステップＳ３００の「原稿セット状態に応じた処理」における画像形成装置１の動作を示すフローチャートである。
制御部１１は、図５のステップＳ１０５で原稿のセット状態の変化を検出すると、原稿が新たにセットされたのか、セットされていた原稿が取り除かれたのかを確認するため、原稿が新たにセットされたか否かを判断する（ステップＳ３０１）。制御部１１は、原稿が新たにセットされたと判断すると（ステップＳ３０１：ＹＥＳ）、原稿セットフラグをＯＮにするが（ステップＳ３０３）、原稿が新たにセットされたのではない（ステップＳ３０１：ＮＯ）、即ち原稿が取り除かれたと判断すると、原稿セットフラグをＯＦＦにする（ステップＳ３０５）。
続いて、制御部１１は、ステップＳ４００の「情報端末連携機能の選択」に移行する。
【００５８】
図９は、ステップＳ４００の「情報端末連携機能の選択」における画像形成装置１の動作を示すフローチャートである。
制御部１１は、読取部検出フラグがＯＮであるか否かを判断する（ステップＳ４０１）。制御部１１は、読取部検出フラグがＯＮであると判断すると（ステップＳ４０１：ＹＥＳ）、続いて排出部検出フラグがＯＮであるか否かを判断する（ステップＳ４０３）。制御部１１は、排出部検出フラグがＯＮでないと判断すると（ステップＳ４０３：ＮＯ）、原稿セットフラグがＯＦＦであるか否かを判断する（ステップＳ４０５）。
制御部１１は、原稿セットフラグがＯＦＦである（ステップＳ４０５：ＹＥＳ）、即ち原稿がセットされていない場合、ユーザーが原稿読取部１５の近傍に配置された第１近接無線通信Ｉ／Ｆ１９３にタッチした情報端末２内の文書を、画像形成装置１によって印刷すること（第１の機能）を所望していると判断し、表示部１３２に印刷設定画面を表示させる（ステップＳ４３１）。
【００５９】
ステップＳ４０５において、制御部１１は、原稿セットフラグがＯＦＦでない（ステップＳ４０５：ＮＯ）、即ち原稿がセットされている場合、ユーザーが誤って第１近接無線通信Ｉ／Ｆ１９３に情報端末２をタッチしたが、実際にはセットした原稿を読み取り、読み取った原稿画像のデータを情報端末２に保存すること（第１の機能）を所望していると判断し、表示部１３２にＳｃａｎＴｏ情報端末画面を表示させる（ステップＳ４３３）。
【００６０】
ステップＳ４０３において、排出部検出フラグがＯＮである（ステップＳ４０３：ＹＥＳ）、即ちユーザーが第１近接無線通信Ｉ／Ｆ１９３及び第２近接無線通信Ｉ／Ｆ１９４の両方に情報端末２をタッチしたと判断した場合、両端末が同一の情報端末２であるか否かを、図７の情報端末２の識別ＩＤに基づいて判断する（ステップＳ４１１）。
【００６１】
制御部１１は、両端末が同一の情報端末２であると判断すると（ステップＳ４１１：ＹＥＳ）、後に情報端末２を検出したのが第１近接無線通信Ｉ／Ｆ１９３であるか否かを、図７の検出日時に基づいて判断する（ステップＳ４１３）。
制御部１１は、後に検出したのが第１近接無線通信Ｉ／Ｆ１９３である（ステップＳ４１３：ＹＥＳ）、即ちユーザーが情報端末２を第２近接無線通信Ｉ／Ｆ１９４にタッチした後、第１近接無線通信Ｉ／Ｆ１９３にタッチした場合、ユーザーがタッチする近接無線通信Ｉ／Ｆを間違えたため第１近接無線通信Ｉ／Ｆ１９３にタッチし直したと判断すると、ステップＳ４０５に移行して前述の処理を実行する。
一方で、制御部１１は、後に検出したのが第２近接無線通信Ｉ／Ｆ１９４であると判断すると（ステップＳ４１３：ＮＯ）、後述するステップＳ４２３に移行する。
【００６２】
ステップＳ４１１において、制御部１１は、両端末が異なる情報端末２であると判断すると（ステップＳ４１１：ＮＯ）、先に情報端末２を検出したのが第１近接無線通信Ｉ／Ｆ１９３であるか否かを、図７の検出日時に基づいて判断する（ステップＳ４１５）。
制御部１１は、先に検出したのが第１近接無線通信Ｉ／Ｆ１９３である（ステップＳ４１５：ＹＥＳ）、即ち、あるユーザーが情報端末２を第１近接無線通信Ｉ／Ｆ１９３にタッチした後、別のユーザーが第２近接無線通信Ｉ／Ｆ１９４にタッチした場合、読取部検出の情報端末２（第１近接無線通信Ｉ／Ｆ１９３にタッチされた情報端末２）内の文書を、排出部検出の情報端末２（第２近接無線通信Ｉ／Ｆ１９４にタッチされた情報端末２）に転送（第３の機能）する（ステップＳ４１７）。一方で、先に検出したのが第２近接無線通信Ｉ／Ｆ１９４であると判断した場合（ステップＳ４１５：ＮＯ）、制御部１１は、排出部検出の情報端末２内の文書を、読取部検出の情報端末２に転送（第３の機能）する（ステップＳ４１９）。
【００６３】
ステップＳ４０１において、読取部検出フラグがＯＮでないと判断した場合（ステップＳ４０１：ＮＯ）、制御部１１は、排出部検出フラグがＯＮであるか否かを判断する（ステップＳ４２１）。制御部１１は、排出部検出フラグがＯＮでないと判断した場合（ステップＳ４２１：ＮＯ）、情報端末２はどちらの近接無線通信Ｉ／Ｆにもタッチされていないため、本処理を終了する。
【００６４】
ステップＳ４２１において、制御部１１は、排出部検出フラグがＯＮであると判断した場合（ステップＳ４２１：ＹＥＳ）、原稿セットフラグがＯＮであるか否かを判断する（ステップＳ４２３）。制御部１１は、原稿セットフラグがＯＮである（ステップＳ４２３：ＹＥＳ）、即ち原稿がセットされている場合、制御部１１は、ユーザーがセットした原稿を読み取り、読み取った画像データを情報端末２に保存すること（第２の機能）を所望していると判断し、表示部１３２にＳｃａｎＴｏ情報端末画面を表示させる（ステップＳ４３３）。一方で、原稿セットフラグがＯＮでない場合（ステップＳ４２３：ＮＯ）、制御部１１は、ユーザーが画像形成装置１のボックス内に記憶している文書データを情報端末２に保存すること（第２の機能）を所望していると判断し、表示部１３２にＢｏｘＴｏ情報端末画面を表示させる（ステップＳ４３５）。
【００６５】
ここで、情報端末連携の印刷設定画面、ＳｃａｎＴｏ情報端末画面及びＢｏｘＴｏ情報端末画面の一例を、図１０〜図１２に示す。
図１０は、印刷設定画面１３２ａの一例であり、印刷する文書の選択、部数、印刷カラー（カラー／モノクロ）、印刷方法（片面印刷／両面印刷）及び印刷サイズを設定可能に構成される。印刷する文書の情報は、無線通信Ｉ／Ｆ１９２を介したＷｉ−Ｆｉ通信により、情報端末２から取得して表示させる。また、情報取得の時点で情報端末２の画面上に表示されている文書をデフォルトで選択して表示させることで、当該文書を印刷したいユーザーの操作ステップ数を減らすことができる。
【００６６】
図１１は、ＳｃａｎＴｏ情報端末画面１３２ｂの一例であり、原稿の読み取りサイズ、読み取った文書のカラー（カラー／モノクロ）、読み取り解像度、読み取った画像データのファイル形式（ＰＤＦ、ＪＰＥＧ、ＴＩＦＦなど）の設定と、読み取った原稿データの情報端末２の格納先フォルダが選択可能に構成される。なお、情報端末２の格納先フォルダに関する情報は、無線通信Ｉ／Ｆ１９２を介したＷｉ−Ｆｉ通信により、情報端末２から取得する。
【００６７】
図１２は、ＢｏｘＴｏ情報端末画面１３２ｃの一例であり、情報端末２に送信する文書のカラー（カラー／モノクロ）、解像度、送信する画像データのファイル形式（ＰＤＦ、ＪＰＥＧ、ＴＩＦＦなど）の設定と、情報端末２に送信する画像形成装置１のＢｏｘ内の文書、及び読み取った原稿データの情報端末２の格納先フォルダが選択可能に構成される。
【００６８】
図１３は、ステップＳ５００の「操作に応じた処理」における画像形成装置１の動作を示すフローチャートである。
制御部１１は、画像形成装置１の表示部１３２に表示中の画面が、情報端末連携画面であるか否かを判断する（ステップＳ５０１）。情報端末連携画面とは、少なくとも、図９のフローチャートにおいて設定される印刷設定画面、ＳｃａｎＴｏ情報端末画面、ＢｏｘＴｏ情報端末画面のうちのいずれかである。制御部１１は、情報端末連携画面ではないと判断すると（ステップＳ５０１：ＮＯ）、表示中の画面における操作に応じた処理を実行し（ステップＳ５０３）、本処理を終了する。
【００６９】
制御部１１は、情報端末連携画面であると判断すると（ステップＳ５０１：ＹＥＳ）、行われた操作が実行キーの押下であるか否かを判断する（ステップＳ５１１）。制御部１１は、実行キーの押下であると判断した場合（ステップＳ５１１：ＹＥＳ）、表示中の情報端末連携画面に応じたジョブを実行する（ステップＳ５２１）。
即ち、表示中の情報端末連携画面が印刷設定画面であれば、選択された情報端末２内の文書を、無線通信Ｉ／Ｆ１９２を介したＷｉ−Ｆｉ通信により情報端末２から取得し、印刷する。ＳｃａｎＴｏ情報端末画面であれば、原稿を走査し、当該画面での設定に基づいてファイルを生成し、情報端末２のフォルダに送信する。ＢｏｘＴｏ情報端末画面であれば、選択されたＢｏｘ内の文書を当該画面での設定に基づいたファイルに変換し、情報端末２のフォルダに送信する。
次に、制御部１１は、読取部検出フラグ及び排出部検出フラグをＯＦＦにして初期化し（ステップＳ５２３）、初期画面を表示して（ステップＳ５２５）、本処理を終了する。
【００７０】
ステップＳ５１１において、情報端末連携画面の操作が実行キーの押下ではない場合（ステップＳ５１１：ＮＯ）、制御部１１は、操作が中止キーの押下であるか否かを判断する（ステップＳ５１３）。制御部１１は、中止キーの押下であると判断した場合（ステップＳ５１３：ＹＥＳ）、ステップＳ５２３に移行して前述した処理を実行する。
制御部１１は、中止キーの押下ではないと判断すると（ステップＳ５１３：ＮＯ）、操作に応じた処理を実行し（ステップＳ５３１）、本処理を終了する。なお、実行キーの押下及び中止キーの押下以外の処理とは、印刷設定画面の部数設定等、表示画面内の設定操作である。
【００７１】
以上説明したように、本実施形態に係る画像形成装置１は、情報端末２との近距離無線通信接続を確立し、各種データの通信を行う第１近接無線通信Ｉ／Ｆ１９３及び第２近接無線通信Ｉ／Ｆ１９４を備え、制御部１１は、第１近接無線通信Ｉ／Ｆ１９３が情報端末２との接続を確立した場合には、第１近接無線通信Ｉ／Ｆ１９３に割り付けられた機能の実行画面を表示し、第２近接無線通信Ｉ／Ｆ１９４が情報端末２との接続を確立した場合には、第２近接無線通信Ｉ／Ｆ１９４に割り付けられた機能の実行画面を表示する。したがって、ユーザーが自身の意志で、実行を所望する機能に応じた近接無線通信Ｉ／Ｆに接続することで、当該機能を実行するための画面をユーザーの操作を必要とすることなく表示されるため、ユーザーの操作を簡略化して利便性を向上させることができる。
【００７２】
図１４は、本発明の効果を説明する図である。
図１４に示すように、情報端末内の文書を印刷する際には、従来の画像形成装置では、ユーザーが機能選択画面から「印刷」を選択し、印刷したい文書を探して選択したうえで、機能の実行を指示する必要があった。これに対し、本実施形態に係る画像形成装置１においては、ユーザーが第１近接無線通信Ｉ／Ｆ１９３に情報端末２をタッチすると、印刷設定画面がデフォルトで表示されるため、ユーザーの操作を簡略化することができる。
同様に、スキャンした原稿を情報端末に送信する際には、従来の画像形成装置１では、ユーザーが機能選択画面から「ＳｃａｎＴｏ情報端末」を選択し、文書の保存先のフォルダを選択したうえで、機能の実行を指示する必要があった。一方で、本実施形態に係る画像形成装置１においては、ユーザーが第１近接無線通信Ｉ／Ｆ１９３に情報端末２をタッチするとともに原稿読取部１５に原稿をセットすると、ＳｃａｎＴｏ情報端末画面がデフォルトで表示されるため、ユーザーの手間を省くことができる。
【００７３】
また、第１近接無線通信Ｉ／Ｆ１９３は原稿読取部１５の近傍に配置され、ユーザーが第１近接無線通信Ｉ／Ｆ１９３に情報端末２をタッチした場合には、情報端末２内の文書を印刷するための画面を表示させる。また、第２近接無線通信Ｉ／Ｆ１９４は排紙トレイ２５の近傍に配置され、ユーザーが第２近接無線通信Ｉ／Ｆ１９４に情報端末２をタッチした場合には、画像形成装置１のボックス内の文書を情報端末２に送信するための画面を表示させる。即ち、各近接無線通信Ｉ／Ｆが、割り当てられた機能を連想させる位置に配置されるため、ユーザーが直感的に操作することが可能となる。
【００７４】
また、第１近接無線通信Ｉ／Ｆ１９３又は第２近接無線通信Ｉ／Ｆ１９４と情報端末２との接続が確立している場合において、原稿読取部１５に原稿がセットされている場合には、スキャンした画像データを情報端末２に送信する。原稿読取部１５における原稿の有無によって割り付ける機能を異ならせるため、よりユーザーのニーズに応じた画面を表示させることができる。
【００７５】
また、第１近接無線通信Ｉ／Ｆ１９３及び第２近接無線通信Ｉ／Ｆ１９４の両方との接続が確立している場合には、情報端末２が同一の端末であるか否かによって、割り付ける機能を異ならせる。したがって、機能を選択する操作が不要となり、ユーザーにとっての使い勝手が向上する。
【００７６】
なお、上記実施形態においては、第１近接無線通信Ｉ／Ｆ１９３及び第２近接無線通信Ｉ／Ｆ１９４に異なる情報端末２がタッチされた場合、画像形成装置１が情報端末２の間の文書の転送を仲介する処理を実行するものとしたが、これに限定されない。
例えば、先に検出された近接無線通信Ｉ／Ｆに割り付けられた機能を実行するものとしてもよく、この場合、図９のステップＳ４１５において、制御部１１は、先に検出したのが第１近接無線通信Ｉ／Ｆ１９３であると判断した場合（ステップＳ４１５：ＹＥＳ）、第１近接無線通信Ｉ／Ｆ１９３へのタッチを優先すると判断し、ステップＳ４０５に移行し、先に検出したのが第２近接無線通信Ｉ／Ｆ１９４であると判断した場合（ステップＳ４１５：ＮＯ）、第２近接無線通信Ｉ／Ｆ１９４へのタッチを優先すると判断し、ステップＳ４２３に移行するものとしてもよい。
【００７７】
［他の実施形態］
以上、本発明に係る実施形態に基づいて具体的に説明したが、上記の実施形態は本発明の好適な例であり、これに限定されない。
【００７８】
上記実施形態においては、図３に示すような機能の割り付けを行うものとしたが、これに限定されるものではなく、接続が確立した近接無線通信Ｉ／Ｆと画像形成装置の機能との割り付けは、任意に設定することが可能である。
【００７９】
また、上記の説明では、本発明に係るプログラムのコンピューター読み取り可能な媒体として、不揮発性メモリー、ハードディスク等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを、通信回線を介して提供する媒体として、キャリアウエーブ（搬送波）も適用される。
【００８０】
その他、画像形成装置１を構成する各装置の細部構成及び各装置の細部動作に関しても、本発明の主旨を逸脱することのない範囲で適宜変更可能である。
【符号の説明】
【００８１】
１  画像形成装置
１１  制御部
１２  記憶部
１３  操作表示部
１４  ユーザー認証部
１９  通信部
１９１  ネットワークＩ／Ｆ
１９２  無線通信Ｉ／Ｆ
１９３  第１近接無線通信Ｉ／Ｆ（第１の近接無線通信部）
１９４  第２近接無線通信Ｉ／Ｆ（第２の近接無線通信部）
２０  画像形成部
【図１】
2020039040.tif 000003
【図２】
2020039040.tif 000004
【図３】
2020039040.tif 000005
【図４】
2020039040.tif 000006
【図５】
2020039040.tif 000007
【図６】
2020039040.tif 000008
【図７】
2020039040.tif 000009
【図８】
2020039040.tif 000010
【図９】
2020039040.tif 000011
【図１０】
2020039040.tif 000012
【図１１】
2020039040.tif 000013
【図１２】
2020039040.tif 000014
【図１３】
2020039040.tif 000015
【図１４】
2020039040.tif 000016